(57)【要約】  本明細書は、スモモ花の香り成分及び人工香料成分を含むスモモ花の香りを再現した香料組成物に関する。【特許請求の範囲】
【請求項１】
スモモ花の香り成分及び人工香料成分を含み、
前記人工香料成分はリナロール、ヘディオン、酢酸リナリル及び酢酸ベンジルからなる群より１種または２種以上が選択される香料組成物。
【請求項２】
前記スモモ花の香り成分は、アネトール（Ａｎｅｔｈｏｌｅ）、リモネン（Ｌｉｍｏｎｅｎｅ）、２−アミノベンズアルデヒド（２−Ａｍｉｎｏｂｅｎｚａｌｄｅｈｙｄｅ）、カルボン（Ｃａｒｖｏｎｅ）、サリチル酸メチル（Ｍｅｔｈｙｌ  ｓａｌｉｃｙｌａｔｅ）、ベンズアルデヒド（Ｂｅｎｚａｌｄｅｈｙｄｅ）、メチルノニルケトン（Ｍｅｔｈｙｌ  ｎｏｎｙｌ  ｋｅｔｏｎｅ）及びベンジルアルコール（Ｂｅｎｚｙｌ  ａｌｃｏｈｏｌ）を含む、請求項１に記載の香料組成物。
【請求項３】
前記スモモ花の香り成分は、アニスアルデヒド（Ａｎｉｓａｌｄｅｈｙｄｅ）、酢酸ヘキシル（Ｈｅｘｙｌ  ａｃｅｔａｔｅ）及びケイ皮酸メチル（Ｍｅｔｈｙｌ  ｃｉｎｎａｍａｔｅ）からなる群より選択された１種または２種以上をさらに含む、請求項２に記載の香料組成物。
【請求項４】
前記人工香料はヘディオンを含む、請求項１に記載の香料組成物。
【請求項５】
前記スモモ花の天然成分の含量は全体香料組成物を基準に７５重量％〜９８重量％であり、
前記人工香料の含量は全体香料組成物を基準に２重量％〜２５重量％である、請求項１に記載の香料組成物。
【請求項６】
前記人工香料成分はリナロール、ヘディオン、酢酸リナリル及び酢酸ベンジルを含み、
前記香料組成物の全体質量を基準に、
アネトールの含量は１５重量％〜３５重量％であり、
リモネンの含量は１２．５重量％〜２５重量％であり、
２−アミノベンズアルデヒドの含量は７重量％〜１７重量％であり、
カルボンの含量は２．５重量％〜８．５重量％であり、
サリチル酸メチルの含量は１．８重量％〜７重量％であり、
ベンズアルデヒドの含量は４重量％〜８重量％であり、
メチルノニルケトンの含量は０．８重量％〜３重量％であり、
ベンジルアルコールの含量は０．８重量％〜１．８重量％であり、
リナロールの含量は８重量％〜１８重量％であり、
ヘディオンの含量は９重量％〜２０重量％であり、
酢酸リナリルの含量は３重量％〜９．５重量％であり、
酢酸ベンジルの含量は２重量％〜８重量％である、請求項２に記載の香料組成物。
【請求項７】
前記スモモ花の香り成分はアニスアルデヒド（Ａｎｉｓａｌｄｅｈｙｄｅ）、酢酸ヘキシル（Ｈｅｘｙｌ  ａｃｅｔａｔｅ）及びケイ皮酸メチル（Ｍｅｔｈｙｌ  ｃｉｎｎａｍａｔｅ）をさらに含み、
前記香料組成物の全体質量を基準に、
アニスアルデヒドの含量は０．３重量％〜１．５重量％であり、
酢酸ヘキシルの含量は０．２重量％〜０．６重量％であり、
ケイ皮酸メチルの含量は０．１重量％〜０．３重量％である、請求項６に記載の香料組成物。
【請求項８】
請求項１〜７のいずれか１項に記載の香料組成物を含む皮膚外用剤。
【請求項９】
請求項１〜７のいずれか１項に記載の香料組成物を含むパーソナルケア製品。
【請求項１０】
請求項１〜７のいずれか１項に記載の香料組成物を含むホームケア製品。
【発明の詳細な説明】
【技術分野】
【０００１】
本明細書はスモモ花の香りを再現できる香料組成物に関する。
【背景技術】
【０００２】
スモモ（Ｐｒｕｎｕｓ  ｓａｌｉｃｉｎａ）は、双子葉植物としてバラ目バラ科の落葉高木であって、高さ１０ｍに達し、木の皮は黒褐色で不規則に分かれるバラ科の落葉高木である。朝鮮半島の中部地方で育ち、紫桃、プラムとも言われる。スモモは、病虫害に強く、土壌適応性が良いため、朝鮮半島の全域で栽培が可能である。
【０００３】
スモモ花は４月に葉より先に咲き、白い花が普通３個ずつ生る。萼片は鋸歯が若干あり、花びらの長さは１ｃｍである。スモモ花は、高宗皇帝の決定で大韓帝国を象徴する皇室の紋章としても用いられた大事な花であり、その香が濃く、美しいため、全国最大のスモモ栽培地である金泉では毎年スモモ花祭りが開かれている。
【０００４】
スモモ花は、固有の香りを持っているが、スモモの実に比べて大衆の認知度がまだ不十分であるため、スモモ花の香りをそのまま再現し、差別化した新しい特徴を有する香料組成物の開発が求められる。
【先行技術文献】
【特許文献】
【０００５】
【特許文献１】ＫＲ１０−２０１１−０００１５６９Ａ
【発明の概要】
【発明が解決しようとする課題】
【０００６】
本明細書の目的は、スモモ花の固有な香りを再現し、優れた嗜好性を有する香料組成物を提供することにある。
【課題を解決するための手段】
【０００７】
本明細書は、スモモ花の香り成分及び人工香料成分を含み、前記人工香料成分はリナロール、ヘディオン、酢酸リナリル及び酢酸ベンジルからなる群より１種または２種以上が選択される香料組成物を提供する。
【０００８】
また、本明細書は前記香料組成物を含む皮膚外用剤を提供する。
【０００９】
本明細書は前記香料組成物を含むパーソナルケア製品を提供する。
【００１０】
本明細書は前記香料組成物を含むホームケア製品を提供する。
【発明の効果】
【００１１】
本明細書の一実施態様による香料組成物はスモモ花の香りを再現することができる。
【００１２】
また、本明細書の一実施態様による香料組成物は、スモモ花の香りとの高い類似度及び／又は高い香り満足度を有する。
【発明を実施するための形態】
【００１３】
以下、本明細書についてより詳細に説明する。
【００１４】
本明細書において、ある部分がある構成要素を「含む」とする時、これは、特に反対の記載がない限り、他の構成要素を除くものではなく、他の構成要素をさらに含んでもよいことを意味する。
【００１５】
本願明細書の全体にかけて、マーカッシュ形式の表現に含まれた「これらの組み合わせ」という用語は、マーカッシュ形式の表現に記載された構成要素からなる群より選択される一つ以上の混合または組み合わせを意味するものであって、前記構成要素からなる群より選択される一つ以上を含むことを意味する。
【００１６】
本明細書は、スモモ花の香り成分及び人工香料成分を含み、前記人工香料成分はリナロール、ヘディオン、酢酸リナリル及び酢酸ベンジルからなる群より１種または２種以上が選択される香料組成物を提供する。
【００１７】
本明細書のスモモ花の香り成分はスモモ花の天然成分である。
【００１８】
本明細書の一実施態様において、前記スモモ花の香り成分は、アネトール（Ａｎｅｔｈｏｌｅ）、リモネン（Ｌｉｍｏｎｅｎｅ）、２−アミノベンズアルデヒド（２−Ａｍｉｎｏｂｅｎｚａｌｄｅｈｙｄｅ）、カルボン（Ｃａｒｖｏｎｅ）、サリチル酸メチル（Ｍｅｔｈｙｌ  ｓａｌｉｃｙｌａｔｅ）、ベンズアルデヒド（Ｂｅｎｚａｌｄｅｈｙｄｅ）、メチルノニルケトン（Ｍｅｔｈｙｌ  ｎｏｎｙｌ  ｋｅｔｏｎｅ）及びベンジルアルコール（Ｂｅｎｚｙｌ  ａｌｃｏｈｏｌ）を含む。
【００１９】
また一つの実施態様において、前記スモモ花の香り成分は、アニスアルデヒド（Ａｎｉｓａｌｄｅｈｙｄｅ）、酢酸ヘキシル（Ｈｅｘｙｌ  ａｃｅｔａｔｅ）及びケイ皮酸メチル（Ｍｅｔｈｙｌ  ｃｉｎｎａｍａｔｅ）からなる群より選択された１種または２種以上をさらに含む。
【００２０】
前記アネトール（Ａｎｅｔｈｏｌｅ）、リモネン（Ｌｉｍｏｎｅｎｅ）、２−アミノベンズアルデヒド（２−Ａｍｉｎｏｂｅｎｚａｌｄｅｈｙｄｅ）、カルボン（Ｃａｒｖｏｎｅ）、サリチル酸メチル（Ｍｅｔｈｙｌ  ｓａｌｉｃｙｌａｔｅ）、ベンズアルデヒド（Ｂｅｎｚａｌｄｅｈｙｄｅ）、メチルノニルケトン（Ｍｅｔｈｙｌ  ｎｏｎｙｌ  ｋｅｔｏｎｅ）、ベンジルアルコール（Ｂｅｎｚｙｌ  ａｌｃｏｈｏｌ）、アニスアルデヒド（Ａｎｉｓａｌｄｅｈｙｄｅ）、酢酸ヘキシル（Ｈｅｘｙｌ  ａｃｅｔａｔｅ）及びケイ皮酸メチル（Ｍｅｔｈｙｌ  ｃｉｎｎａｍａｔｅ）等はスモモ花の香りの主成分である。しかし、前記スモモ花の香り成分のみを含む場合、スモモ花の固有な香りを再現することができない。
【００２１】
本明細書の一実施態様による香料組成物は、前記スモモ花の香り成分の他にリナロール、ヘディオン、酢酸リナリル及び酢酸ベンジルからなる群より１種または２種以上の人工香料成分をさらに含むことによって、スモモ花の香りを再現することができ、優れた嗜好性を有することができる。
【００２２】
前記スモモ花の香り成分は、天然物の香り物質を分析するのに効果的なヘッドスペース分析法を利用して得ることができる。
【００２３】
一般に、香りを採取する方法としては溶媒を用いた抽出法（ｅｘｔｒａｃｔｉｏｎ）、水蒸気を用いた蒸留法（ｄｉｓｔｉｌｌａｔｉｏｎ）等が使用されるが、前記方法は香り成分を抽出する過程で加熱、減圧等による香り成分の消失、変化等を招き、原物質が有する香り特徴とは多くの差がある。このような短所を補完する方法として、ヘッドスペース（Ｈｅａｄｓｐａｃｅ）法とＳＰＭＥ（Ｓｏｌｉｄ−Ｐｈａｓｅ  Ｍｉｃｒｏ  Ｅｘｔｒａｃｔｉｏｎ）法等が開発されている。この二つの方法は、既存の方法とは異なり、溶媒を用いず、試料の前処理も要らないので、多量の試料が必要でなく、試料そのものを持って香り成分を分析することができるため、試料が有する本来の香りを再現できる良い方法であると言える。
【００２４】
本明細書の一実施態様において、前記スモモ花の香り成分はヘッドスペース法を利用して分析及び／又は採取することができるが、前記方法に限定されるものではない。
【００２５】
本明細書の一実施態様において、前記スモモ花の天然成分の含量は全体香料組成物を基準に７５重量％〜９８重量％であり、前記人工香料の含量は全体香料組成物を基準に２重量％〜２５重量％である。
【００２６】
前記人工香料の含量が全体香料組成物を基準に２重量％未満の場合には香りの類似性が低くなり、２５重量％超過の場合には選好度に影響を及ぼす。よって、前記範囲内で、香料組成物はスモモ花の香りの高い再現性及び／又は高い選好度を有することができる。但し、前記範囲の含量に限定されず、組成物の目的、剤形によって変化しうる。
【００２７】
本明細書の一実施態様において、前記人工香料はリナロール、ヘディオン、酢酸リナリル及び酢酸ベンジルからなる群より１種または２種以上が選択される。
【００２８】
本明細書の一実施態様において、前記人工香料はヘディオンを含む。具体的には、前記人工香料はヘディオン；及びリナロール、酢酸リナリル及び酢酸ベンジルからなる群より１種または２種以上を含む。
【００２９】
また他の実施態様において、前記人工香料はリナロール、ヘディオン、酢酸リナリル及び酢酸ベンジルを含む。
【００３０】
本明細書の一実施態様において、前記スモモ花の香り成分はアネトール（Ａｎｅｔｈｏｌｅ）、リモネン（Ｌｉｍｏｎｅｎｅ）、２−アミノベンズアルデヒド（２−Ａｍｉｎｏｂｅｎｚａｌｄｅｈｙｄｅ）、カルボン（Ｃａｒｖｏｎｅ）、サリチル酸メチル（Ｍｅｔｈｙｌ  ｓａｌｉｃｙｌａｔｅ）、ベンズアルデヒド（Ｂｅｎｚａｌｄｅｈｙｄｅ）、メチルノニルケトン（Ｍｅｔｈｙｌ  ｎｏｎｙｌ  ｋｅｔｏｎｅ）及びベンジルアルコール（Ｂｅｎｚｙｌ  ａｌｃｏｈｏｌ）を含み、前記人工香料成分はリナロール、ヘディオン、酢酸リナリル及び酢酸ベンジルを含み、
【００３１】
前記香料組成物の全体質量を基準に、アネトルの含量は１５重量％〜３５重量％であり、リモネンの含量は１２．５重量％〜２５重量％であり、２−アミノベンズアルデヒドの含量は７重量％〜１７重量％であり、カルボンの含量は２．５重量％〜８．５重量％であり、サリチル酸メチルの含量は１．８重量％〜７重量％であり、ベンズアルデヒドの含量は４重量％〜８重量％であり、メチルノニルケトンの含量は０．８重量％〜３重量％であり、ベンジルアルコールの含量は０．８重量％〜１．８重量％であり、リナロールの含量は８重量％〜１８重量％であり、ヘディオンの含量は９重量％〜２０重量％であり、酢酸リナリルの含量は３重量％〜９．５重量％であり、酢酸ベンジルの含量は２重量％〜８重量％である。
【００３２】
また一つの実施態様において、前記スモモ花の香り成分はアニスアルデヒド（Ａｎｉｓａｌｄｅｈｙｄｅ）、酢酸ヘキシル（Ｈｅｘｙｌ  ａｃｅｔａｔｅ）及びケイ皮酸メチル（Ｍｅｔｈｙｌ  ｃｉｎｎａｍａｔｅ）をさらに含み、前記香料組成物の全体質量を基準に、アニスアルデヒドの含量は０．３重量％〜１．５重量％であり、酢酸ヘキシルの含量は０．２重量％〜０．６重量％であり、ケイ皮酸メチルの含量は０．１重量％〜０．３重量％である。
【００３３】
本明細書において、前記スモモ花の香り成分及び人工香料成分は市販品の使用、植物から分離または合成を通じて製造されたものを用いることができるが、これらに限定されるものではない。
【００３４】
また、本明細書は前記香料組成物を含む皮膚外用剤を提供する。
【００３５】
本明細書において、前記皮膚外用剤としては基礎化粧品、メーキャップ化粧品またはボディー化粧品、軟膏等が挙げられ、その剤形に特に限定されず、ゲル、ローション、アンプル、乳液、ジェル、軟膏、パッチ、噴霧剤及びクリームからなる群より選択された一つの剤形であってもよい。
【００３６】
本明細書において、前記基礎化粧品またはボディー化粧品の剤形としてはローション、クリーム、エッセンス、ジェル、化粧水、パック、栄養クリーム、マッサージクリーム、乳液、入浴剤、サンスクリーンクリーム、サンオイル等が挙げられるが、これらに限定されるものではない。
【００３７】
また、本明細書において、前記メーキャップ化粧品の剤形としてはファンデーション、メーキャップベース、リップスティック、アイシャドウ、アイライナー、マスカラ、アイブローペンシル等が挙げられるが、これらに限定されるものではない。
【００３８】
本明細書は前記香料組成物を含むパーソナルケア製品を提供する。
【００３９】
前記パーソナルケア製品としてはシャンプー、リンス、コンディショナー、ワックス、ジェル、ヘアムース等のヘアー製品、歯磨き粉、うがい液等の口腔製品、石鹸、クレンジングクリーム、クレンジングフォーム、クレンジングウォーター及びクレンジングオイル等の皮膚洗浄剤、及び香水等が挙げられるが、これらに限定されるものではない。
【００４０】
本明細書は前記香料組成物を含むホームケア製品を提供する。
【００４１】
前記ホームケア製品としては芳香剤、及び液体洗浄剤、台所用洗剤、洗濯洗剤、浴室洗剤等の洗剤等が挙げられるが、これらに限定されるものではない。
【００４２】
また、本明細書の一実施態様において、前記組成物は、剤形に応じて、香料、色素、殺菌剤、酸化防止剤、防腐剤、保湿剤、増粘剤、無機塩類、合成高分子物質等の当業界で通常用いられる添加剤をさらに含むことができる。
【００４３】
前記皮膚外用剤、パーソナルケア製品及びホームケア製品は本明細書の目的を害しない範囲内で各々含まれることができ、含まれる含量及び剤形は限定されず、前述した添加剤を選択することによって、必要に応じて所望の剤形を選択して製造することができる。
【実施例】
【００４４】
以下、本明細書を具体的に説明するために実施例を挙げて詳細に説明することにする。但し、本明細書による実施例は色々な他の形態に変形されることができ、本明細書の範囲が下記に記述する実施例に限定されるものではない。本明細書の実施例は当業界で平均的な知識を有する者に本明細書をより完全に説明するために提供されるものである。
【００４５】
実験例１  ヘッドスペース（Ｈｅａｄｓｐａｃｅ）法を用いたスモモ花の香り成分の分析
ヘッドスペース分析方法は自然状態そのままの試料の香り成分を採取できる方法であり、本発明ではヘッドスペース分析法を使用し、文献に記載された方法を利用して下記のように成分の分析を行った。香りの強いスモモ木の枝を選び、スモモ花部分に密閉が可能なビニルを被せ、動力装置で外部空気を強制循環させながら、循環した空気がｔｅｅｎａｘカラムを通過するようにして香り成分を捕集した。捕集場所は慶尚北道金泉市に位置したスモモ農家であり、７時間捕集が行われた。香りが捕集されたｔｅｅｎａｘカラムをガスクロマトグラフィー分析装置に連結し、捕集された香り成分の種類と含量を分析し、その結果は下記の表１に示す。
【００４６】
＜分析条件＞
分析機器：Ａｇｉｌｅｎｔ  ７８９０Ａ
検出器：ＦＩＤ／ＭＳＤ  １：１
カラム：ＴＣ−ＷＡＸ  ３０ｍ  ×２５０μｍ×０．２５μｍ
注入部の温度：１００℃
検出部の温度：２５０℃
オーブン温度：４０℃（５分）〜２３０℃（１００分）、３．０℃／分
移動相気体：Ｈｅ
注入量：１μｌ
【００４７】
【表１】
2017529434.tif 000002
【００４８】
上記のように分析した結果、天然のスモモ花の香り成分は、アネトール（Ａｎｅｔｈｏｌｅ）２８．８重量％、リモネン（Ｌｉｍｏｎｅｎｅ）２０．８重量％、２−アミノベンズアルデヒド（２−Ａｍｉｎｏｂｅｎｚａｌｄｅｈｙｄｅ）１４．７重量％、カルボン（Ｃａｒｖｏｎｅ）８．０重量％、サリチル酸メチル（Ｍｅｔｈｙｌ  ｓａｌｉｃｙｌａｔｅ）５．９重量％、ベンズアルデヒド（Ｂｅｎｚａｌｄｅｈｙｄｅ）５．１重量％、メチルノニルケトン（Ｍｅｔｈｙｌ  ｎｏｎｙｌ  ｋｅｔｏｎｅ）１．４重量％、ベンジルアルコール（Ｂｅｎｚｙｌ  ａｌｃｏｈｏｌ）１．３重量％、アニスアルデヒド（Ａｎｉｓａｌｄｅｈｙｄｅ）０．８５重量％、酢酸ヘキシル（Ｈｅｘｙｌ  ａｃｅｔａｔｅ）０．３９重量％及びケイ皮酸メチル（Ｍｅｔｈｙｌ  ｃｉｎｎａｍａｔｅ）０．２６重量％であることを確認した。また、天然のスモモ花の香り成分の全体に対して前記成分の総量は約８７．５重量％であることを確認した。
【００４９】
実験例２  スモモ花の香りの再現香料の製造及び元の香りとの香りの比較
香料業界に務める専門家１１人がスモモ花の元の香りと下記表２の組み合わせからなる再現香料（表２参照）に対して官能評価を行った。
【００５０】
【表２】
2017529434.tif 000003
【００５１】
評価の結果、前記表２によって組み合わせられたスモモ花の再現香料はスモモ花の元の香りとの類似性が低く、香り満足度は不十分なレベルに評価された。
【００５２】
よって、ヘッドスペース（Ｈｅａｄｓｐａｃｅ）分析結果だけでスモモ花の香りを再現するのは好適ではない。前記表１のヘッドスペース（Ｈｅａｄｓｐａｃｅ）結果に基づいて新しい香り成分を追加してスモモ花の香り再現の必要性を確認することができた。
【００５３】
実験例３  香料組成物の製造
スモモ花の香りは軟らかい花香りに甘い蜂蜜香りと果物香りが交わった特徴的な固有の香りを持っている。よって、スモモ花の香り成分の他に前述したスモモ花の香りの特徴を有するリナロール、ヘディオン、酢酸リナリル及び酢酸ベンジルの人工香料成分を追加して香料組成物を製造した。
【００５４】
下記表３の成分の組み合わせをもって香料を製造した。
【００５５】
【表３】
2017529434.tif 000004
【００５６】
実験例４  香料組成物の香り再現性の評価
２７才〜４６才の元気な一般女性１８人を官能評価対象者にして官能評価を行った。スモモ花の元の香りの再現性に対する評価は、下記表４の質問紙をもって実施例１〜５及び比較例１〜３で製造された香料組成物に対して５点評点法により評価した。評価室と試料準備室を分離し、評価者が試料の事前認知がないようにした。
【００５７】
前記比較例１〜３及び実施例１〜５のスモモ花の香り再現性の評価結果は下記の表５に示す。
【００５８】
【表４】
2017529434.tif 000005
【００５９】
【表５】
2017529434.tif 000006
【００６０】
評価対象者の平均年令は３７．１才であり、女性１８人であった。
【００６１】
前記表５の結果から、前記実験例１の分析に基づいたスモモ花の香り成分のみを含む比較例１は非常に低い類似度を示すことを確認することができる。また、スモモ花の香り成分のうち主要成分の含量を調節して製造した香料組成物である比較例２及び３は、スモモ花の元の香りとの類似度の増加は微小であることが確認することができる。
【００６２】
これに対し、リナロール、ヘディオン、酢酸リナリル及び酢酸ベンジルのうち１種または２種以上の人工香料成分を含む実施例１〜５は、スモモ花の元の香りとの類似度が増加することを確認することができる。
【００６３】
特に、ヘディオンを含む実施例２〜５の類似度が高いことを確認することができ、実施例２の結果からスモモ花の香り成分とリナロール、ヘディオン、酢酸リナリル及び酢酸ベンジルを含む人工香料成分とを含む場合に類似度が最も増加することを確認することができる。
【００６４】
実験例５  香料組成物の香り満足度の評価
２７才〜４６才の元気な一般女性１８人を官能評価対象者にして官能評価を行った。香り選好度に対する評価は、表６の質問紙をもって実施例１〜５及び比較例１〜３で製造された香料組成物に対して５点評点法により評価した。評価室と試料準備室を分離し、評価者が試料の事前認知がないようにした。
【００６５】
前記比較例１〜３及び実施例１〜５のスモモ花の香り満足度の評価結果は表７に示す。
【００６６】
【表６】
2017529434.tif 000007
【００６７】
【表７】
2017529434.tif 000008
【００６８】
評価対象者の平均年令は３７．１才であり、女性１８人であった。
【００６９】
前記表７の結果から、前記実験例１の分析に基づいたスモモ花の香り成分のみを含む比較例１は非常に低い満足度を示すことを確認することができる。また、スモモ花の香り成分のうち主要成分の含量を調節して製造した香料組成物である比較例２及び３に対する満足度も満足度評価の平均未満であることを確認することができる。
【００７０】
これに対し、リナロール、ヘディオン、酢酸リナリル及び酢酸ベンジルのうち１種または２種以上の人工香料成分を含む実施例１〜５は満足度が増加することを確認することができる。
【００７１】
特に、ヘディオンを含む実施例２〜５の満足度が高いことを確認することができ、実施例２の結果からスモモ花の香り成分とリナロール、ヘディオン、酢酸リナリル及び酢酸ベンジルを含む人工香料成分とを含む場合に満足度が最も増加することを確認することができる。
【００７２】
前記表５及び表７の結果から、前記スモモ花の香り成分にリナロール（Ｌｉｎａｌｏｏｌ）、ヘディオン（Ｈｅｄｉｏｎｅ）、酢酸リナリル（Ｌｉｎａｌｙｌ  ａｃｅｔａｔｅ）、及び酢酸ベンジル（Ｂｅｎｚｙｌ  ａｃｅｔａｔｅ）からなる群より選択された１種または２種以上の人工香料成分を含む場合、スモモ花固有の香りとの高い類似度及び満足度の向上を確認することができる。
【国際調査報告】
2017529434.tif 000009
2017529434.tif 000010
2017529434.tif 000011
2017529434.tif 000012